(57)【特許請求の範囲】
【請求項１】
配管内に挿入されて軸回りに回転されるシリンダとこのシリンダ内にその外周面から突出自在に収容されたカッタと、このカッタをシリンダの外周面から突出させる方向に付勢する付勢部材を備え、配管内においてシリンダが軸回りに回転されながらカッタを付勢部材によってシリンダの外周面から突出させて配管を切断してゆくパイプカッタにおいて、
前記カッタを支持すると共に前記付勢部材に接離自在に当接されるカッタホルダを備え、
前記シリンダの外周壁には前記カッタホルダが挿入可能な窓部が形成され、
前記窓部から挿入された前記カッタホルダが前記シリンダ内で前記付勢手段に接離自在に当接されることを特徴とするパイプカッタのカッタ構造。
【請求項２】
前記付勢部材は、前記カッタホルダをそのスライドにともなって前記カッタが前記シリンダの外周面から突出する方向に付勢する傾斜面を有し、この付勢部材の傾斜面にカッタホルダの接合面が接離自在に当接されている請求項１に記載のパイプカッタのカッタ構造。
【発明の詳細な説明】
【０００１】
【発明の属する技術分野】
この発明は、地中に埋設されているガス管や水道管などの配管を埋設された状態のまま切断するパイプカッタに関し、特に、そのカッタ構造に関する。
【０００２】
【発明が解決しようとする課題】
地中に埋設されているガス管路や水道管等の配管を一部撤去したり、交換しようとする場合に、その都度、埋設場所を掘り返して作業を行うのは、非常に大きな労力を要する。
【０００３】
このため、従来から、例えば図８に示されるようなパイプカッタを用いて、このパイプカッタをマンホールや工事用の立坑等から埋設されている配管内に挿入し、この配管を内側から切断して引き抜いて撤去したりまたは交換するといった方法で、配管の撤去作業や交換作業が行われている。
【０００４】
この図８のパイプカッタ１は、切断対象の配管Ｐの内径よりも小さい外径を有する円筒状のシリンダ２と、このシリンダ２内に同軸状に配置された回転シャフト３と、回転シャフト３の先端に螺合されてシリンダ２内にスライド自在に嵌挿されるとともに回転シャフト３側に対向する側に傾斜面４’を有するスライダ４と、このスライダ４の傾斜面４’に対向する傾斜面５’を有しシリンダ２の径方向に沿ってスライド自在に設けられたカッタホルダ５と、このカッタホルダ５の外面側にシリンダ２の軸方向と平行な軸線を有する回転軸５Ａによって回転自在に支持された円盤形状のカッタ６とを備えている。
【０００５】
そして、このパイプカッタ１には、その後端側に、図示しない外部駆動装置に連結されたドライブケーブル７が連結されている。
【０００６】
このドライブケーブル７は、円管状のアウタケーブル７Ａと、このアウタケーブル７Ａ内に回転自在にかつ相対的に軸方向にスライド自在に挿通されたインナケーブル７Ｂとから構成されており、アウタケーブル７Ａの先端部がシリンダ２の後端部に回転自在に連結され、インナケーブル７Ｂの先端部が回転シャフト３の後端部に固定されている。
【０００７】
そして、回転シャフト３とシリンダ２とは、シリンダ２側に設けられたキー８と回転シャフト３の外周面に軸方向に延びるように形成されたキー溝３Ａとによって、シリンダ２の軸方向にスライド自在にかつ円周方向において互いに係止されるように連結されている。
【０００８】
なお、図８中、９は、シリンダ２の外周面から突出して配管Ｐの内周面に転がり接触される転道ローラである。
【０００９】
上記パイプカッタ１は、スライダ４がシリンダ２に対して相対的に前進位置に位置されて、カッタホルダ５がカッタ６とともにシリンダ２内に引き込まれている状態で、配管Ｐ内に挿入される。
【００１０】
そして、ドライブケーブル７の繰り出し長さによってカッタ６が配管Ｐの所望の切断箇所に位置されると、ドライブケーブル７のインナケーブル７Ｂが外部駆動装置によってその軸回りに回転され、回転シャフト３を介してシリンダ２が配管Ｐ内において軸回りに回転される。
【００１１】
さらに、このシリンダ２がその軸回りに回転されているときに、インナケーブル７Ｂがアウタケーブル７Ａに対して（図８の右方向に）引き戻される。
【００１２】
これによって、このインナケーブル７Ｂの先端部に連結されたスライダ４がシリンダ２に対して後退してゆき、このスライダ４の傾斜面４’がカッタホルダ５の傾斜面５’に対して摺動して、カッタホルダ５をシリンダ２の径方向外方に徐々にせり上げてゆくことにより、カッタ６の刃先がシリンダ２の外周面から突出して、配管Ｐの内壁面に接触される。
【００１３】
このようにして、パイプカッタ１は、シリンダ２が配管Ｐ内においてその軸回りに回転しながらカッタ６をシリンダ２の外周面から突出させて、配管Ｐをその円周方向に沿って切断してゆくことにより、配管Ｐをその埋設状態のまま任意の箇所で切断することが出来る。
【００１４】
上記のパイプカッタ１において、カッタホルダ５は、図８から分かるように、後側（図８において右側）の端部がシリンダ２の端面およびスライダ４の壁面によって、前端（図８において左側）の端部がシリンダ２の前端部に固定されたホルダガイド１０によって、それぞれシリンダ２の径方向に沿う向きにガイドされている。
【００１５】
そして、図９に示されるように、スライダ４の傾斜面４’には、その幅方向の両側に張り出すとともに傾斜面４’に沿って延びる凸条部４”が形成され、カッタホルダ５の傾斜面５’には、この傾斜面５’に沿って延びる凹溝部５”が形成されていて、このスライダ４の凸条部４”にカッタホルダ５の凹溝部５”が外嵌されることによって、カッタホルダ５がスライダ４に対してシリンダ２の径方向外方に抜け落ち不能に連結されている。
【００１６】
これによって、パイプカッタ１が配管Ｐ内に挿入されていない状態でも、カッタホルダ５がシリンダ２内から離脱するのが防止される。
【００１７】
ここで、カッタホルダ５に取り付けられたカッタ６は、配管Ｐの切断によって摩耗するために適宜交換する必要が生じる。
【００１８】
しかしながら、上記従来のパイプカッタ１は、カッタホルダ５がスライダ４に凸条部４”と凹溝部５”との嵌合によって抜け落ち不能に連結されているので、カッタ６を交換するためには、ホルダガイド１０をシリンダ２から取り外した後、凹溝部５”を凸条部４”から抜き出すことによりカッタホルダ５とスライダ４の連結状態を解除して、カッタホルダ５をシリンダ２内から取り外す必要があり、さらに、交換する新しいカッタ６を取り付ける際には、上記と逆の作業を行う必要がある。
【００１９】
このため、カッタ６の交換作業が非常に煩雑で面倒であり、そのために、作業現場において作業効率の低下を招くという問題を有している。
【００２０】
この発明は、上記のような従来のパイプカッタが有している問題点を解決するために為されたものである。
すなわち、この発明は、パイプカッタのカッタの交換を容易に行うことができ、作業現場において作業効率の向上を図ることが出来るパイプカッタのカッタ構造を提供することを目的としている。
【００２１】
【課題を解決するための手段】
第１の発明によるパイプカッタのカッタ構造は、上記目的を達成するために、配管内に挿入されて軸回りに回転されるシリンダとこのシリンダ内にその外周面から突出自在に収容されたカッタと、このカッタをシリンダの外周面から突出させる方向に付勢する付勢部材を備え、配管内においてシリンダが軸回りに回転されながらカッタを付勢部材によってシリンダの外周面から突出させて配管を切断してゆくパイプカッタにおいて、前記カッタを支持するカッタホルダが前記シリンダの外周壁に形成された窓部から挿入されるとともに、このカッタホルダが前記付勢部材に接離自在に当接されていることを特徴としている。
【００２２】
この第１の発明によるパイプカッタのカッタ構造は、カッタの交換を、このカッタをカッタホルダごとシリンダの窓部から抜き出すことによって行うことが出来る。
【００２３】
すなわち、カッタホルダは、カッタをシリンダの外周面から突出させる方向に付勢する付勢部材に接離自在に当接されているだけで、シリンダの径方向の外側向きには何ら係合関係を有しておらず、したがって、他の部品を取り外したりすることなく、シリンダの窓部からそのまま抜き出すことが出来る。
【００２４】
このカッタホルダのシリンダ内からの抜き出しは、例えば、カッタホルダの一部をシリンダの窓部から突出させておいてこれを摘み出したり、または、シリンダを逆さまにして、カッタホルダをシリンダの窓部から落下させる等の方法によって行うことが出来る。
【００２５】
また、カッタが交換されたカッタホルダは、上記と反対の操作によって外側から窓部内に挿入されることにより、シリンダ内の所定の位置に装着される。
【００２６】
以上のように、上記第１の発明によれば、パイプカッタのカッタの交換を容易に行うことができ、作業現場において作業効率の向上を図ることが出来るようになる。
【００２７】
第２の発明によるパイプカッタのカッタ構造は、前記目的を達成するために、第１の発明の構成に加えて、前記付勢部材がそのスライドにともなって前記カッタホルダをカッタがシリンダの外周面から突出する方向に付勢する傾斜面を有し、この付勢部材の傾斜面にカッタホルダの接合面が接離自在に当接されていることを特徴としている。
【００２８】
この第２の発明によるパイプカッタのカッタ構造によれば、付勢部材のカッタホルダをカッタがシリンダの外周面から突出する方向に付勢する傾斜面と、この付勢部材の傾斜面から付勢力を受けるカッタホルダの接合面とが、接離自在に当接されているだけでシリンダの径方向の外側向きには何ら係合関係を有していないことにより、他の部品を取り外したりすることなく、カッタホルダをシリンダの窓部からそのまま抜き出すことが出来る。
【００２９】
【発明の実施の形態】
以下、この発明の最も好適と思われる実施の形態について、図面を参照しながら詳細に説明を行う。
【００３０】
図１は、この発明によるカッタ構造を備えたパイプカッタの実施形態における一例を示す側断面図である。
【００３１】
この図１において、パイプカッタ２０は、切断対象の配管Ｐの内径よりも小さい外径を有する円筒状のシリンダ２１内に、回転シャフト２２が同軸状に配置されている。
【００３２】
そして、この回転シャフト２２の外周面に軸方向に沿って延びるように形成されたキー溝２２Ａにシリンダ２１に固定されたキー２３が嵌合されていて、このキー２３がキー溝２２Ａ内をスライドすることによって、回転シャフト２２がシリンダ２１に対して軸方向に相対的にスライド自在になっているとともに、回転シャフト２２が軸回りに回転する際にはキー溝２２Ａとキー２３とが係合して、シリンダ２１が回転シャフト２２と一体回転するようになっている。
【００３３】
この回転シャフト２２の先端部（図１の左側端部）には、シリンダ２１内にこのシリンダ２１の軸方向に沿ってスライド自在に嵌挿されたスライダ２４が螺合されていて、回転シャフト２２と一体的にスライドされるようになっている。
【００３４】
このスライダ２４は、図２および３に示されるように、回転シャフト２２に連結される後端部（図２の左側端部）２４Ａが、シリンダ２１の内径よりも僅かに小さい外径を有する円筒形に成形され、その中心部に回転シャフト２２が螺合される雌ねじ２４Ａａが形成されている。
【００３５】
このスライダ２４の後端部２４Ａの前側の面は、スライダ２４の軸線に対して直角向きに交差する平面状のガイド面２４Ａｂになっている。
さらに、スライダ２４のガイド面２４Ａｂよりも先端側の部分には、ガイド面２４Ａｂの下端側からスライダ２４の先端側に行くにしたがってせり上がってゆく平面状の傾斜面２４Ｂが形成されている。
【００３６】
シリンダ２１には、スライダ２４がシリンダ２１内の所定位置に嵌挿されている状態で、このスライダ２４の傾斜面２４Ｂに対向する部分に、カッタ窓２１Ａが形成されている。
【００３７】
そして、このシリンダ２１のカッタ窓２１Ａ内に、カッタホルダ２５が嵌合されて、スライダ２４のガイド面２４Ａｂと傾斜面２４Ｂにそれぞれ摺接された状態で、スライダ２４上に接合されている。
【００３８】
このカッタホルダ２５は、図４および５に示されるように、前端面２５Ａと後端面２５Ｂがそれぞれ軸線と直角向きに交わる平面状に成形され、さらに、下面側に、後端面２５Ｂから前端面２５Ａ側にゆくにしたがって、カッタホルダ２５の縦幅が小さくなるように平面状の傾斜面２５Ｃが形成されている。
【００３９】
さらに、このカッタホルダ２５には、後述するようにカッタ２６を回転自在に支持する支持軸２６Ａが挿通される軸孔２５Ｄと、カッタホルダ２５の上面に開口されてカッタ２６が収容されるカッタ収容部２６Ｅが形成されている。
【００４０】
このカッタホルダ２５は、カッタ収容部２６Ｅ内に収容された円盤状のカッタ２６を軸孔２５Ｄ内に嵌挿された支持軸２６Ａによって回転自在に支持した状態で、シリンダ２１のカッタ窓２１Ａ内に挿入される。
【００４１】
そして、前端面２５Ａがカッタ窓２１Ａの前側壁面に、後端面２５Ｂがカッタ窓２１Ａの後側壁面とスライダ２４のガイド面２４Ａｂにそれぞれ摺接され、さらに、図６に示されるように傾斜面２５Ｃがスライダ２４の傾斜面２４Ｂ上に摺接されることにより、このカッタ窓２１Ａとスライダ２４のガイド面２４Ａｂおよび傾斜面２４Ｂによってその前後側および下側をそれぞれ摺動自在に支持された状態で、シリンダ２１内に位置決めされている。
【００４２】
パイプカッタ２０の後端には、図示しない外部駆動装置に連結されたドライブケーブル２７が連結されている。
【００４３】
このドライブケーブル２７は、円管状のアウタケーブル２７Ａと、このアウタケーブル２７Ａ内に回転自在にかつ相対的に軸方向にスライド自在に挿通されたインナケーブル２７Ｂとから構成されており、アウタケーブル２７Ａの先端部がシリンダ２１の後端部に回転自在に連結され、インナケーブル２７Ｂの先端部が回転シャフト２２の後端部に固定されている。
【００４４】
なお、図１中、２８は、スライダ２４と一体的にスライドされるホルダ２９によってシリンダ２１の外周面から径方向外方に突出自在に取り付けられている転道ローラであり、３０は回転シャフト２２の後端部によって、転道ローラ２８と同様に、シリンダ２１の外周面から径方向外方に突出自在に取り付けられている転道ローラであり、それぞれ、シリンダ２１の円周方向に等角度間隔に３個ずつ配置されている。
【００４５】
上記パイプカッタ２０は、従来と同様に、スライダ２４がシリンダ２１に対して相対的に前進位置に位置されて、カッタホルダ２５がカッタ２６とともにシリンダ２１内に引き込まれている状態で、配管Ｐ内に挿入される。
【００４６】
そして、ドライブケーブル２７の繰り出し長さによってカッタ２６が配管Ｐの所望の切断箇所に位置されると、ドライブケーブル２７のインナケーブル２７Ｂが外部駆動装置によってその軸回りに回転され、回転シャフト２２を介してシリンダ２１が配管Ｐ内において軸回りに回転される。
【００４７】
さらに、このシリンダ２１がその軸回りに回転されているときに、インナケーブル２７Ｂがアウタケーブル２７Ａに対して（図１の右方向に）引き戻される。
【００４８】
これによって、このインナケーブル２７Ｂの先端部に連結されたスライダ２４がシリンダ２１に対して後退してゆき、このスライダ２４の傾斜面２４Ｂがカッタホルダ２５の傾斜面２５Ｃに対して後方向きに摺動して、カッタホルダ２５をシリンダ２１の径方向外方に徐々にせり上げてゆく。
【００４９】
これによって、カッタ２６の刃先がシリンダ２１のカッタ窓２０Ａから突出して配管Ｐの内壁面に接触され、シリンダ２１の回転にともなって、配管Ｐの内壁面をその円周方向に沿って切断してゆく。
【００５０】
上記パイプカッタ２０のカッタ２６の交換は、このカッタ２６をカッタホルダ２５ごとシリンダ２１内から抜き出すことによって行われる。
【００５１】
このとき、カッタホルダ２５は、その平面状の傾斜面２５Ｃがスライダ２４の平面状の傾斜面２４Ｂ上に単に接触されているだけで、シリンダ２１の径方向の外側向きには何ら係合関係を有していないので、他の部品を取り外したりすることなく、図７に示されるようにカッタ窓２１Ａ内からそのまま抜き出すことが出来る。
【００５２】
このカッタホルダ２５のカッタ窓２１Ａからの抜き出しは、例えば、スライダ２４をシリンダ２１に対して相対的に前進させてカッタホルダ２５の上部をカッタ窓２１Ａ内から突出させた後これを摘み出したり、または、シリンダ２１を逆さまにして、カッタホルダ２５をカッタ窓２１Ａ内から落下させる等の方法によって行うことが出来る。
【００５３】
そして、カッタ２６が交換されたカッタホルダ２５は、上記と反対の操作によって外側からカッタ窓２１Ａ内に挿入されることにより、シリンダ２１内の所定の位置に装着される。
【図面の簡単な説明】
【図１】本発明の実施形態における一例を示す側断面図である。
【図２】同例のスライダを示す側面図である。
【図３】図２のIII−III線における断面図である。
【図４】同例のカッタホルダを示す側面図である。
【図５】同カッタホルダの正面図である。
【図６】図１のVI−V I線における断面図である。
【図７】同例においてカッタホルダがシリンダ内から抜き出された状態を示す状態説明図である。
【図８】従来例を示す側断面図である。
【図９】図８のIX−IX線における断面図である。
【符号の説明】
２０    …パイプカッタ
２１    …シリンダ
２４    …スライダ（付勢部材）
２４Ａ  …傾斜面
２５    …カッタホルダ
２５Ｃ  …傾斜面（接合面）
２６    …カッタ
Ｐ      …配管
【図１】
0004480846.tif 000002
【図２】
0004480846.tif 000003
【図３】
0004480846.tif 000004
【図４】
0004480846.tif 000005
【図５】
0004480846.tif 000006
【図６】
0004480846.tif 000007
【図７】
0004480846.tif 000008
【図８】
0004480846.tif 000009
【図９】
0004480846.tif 000010